(57)【要約】【課題】電装基板収納装置を小型化しそれにより電子機器本体を小型化する。【解決手段】ベース電装基板３１のコネクタ３１Ａには、ベース電装基板と直交する向きからライザーカード（接続電装基板）３２を取り付ける。そのライザーカードには、ベース電装基板３１と平行な向きから付加電装基板を取り付け可能とするコネクタを、一面に２つ設け、他面に１つ設ける。これにより、ライザーカード３２の両面に、付加電装基板を接続するコネクタ３２Ａ・３２Ｂ・３２Ｃを設けてなる。それらのコネクタのうちの１つのコネクタ３２Ａにコントローラボード３３を取り付ける。それらベース電装基板３１と、付加電装基板の一例であるコントローラボード３３と、そのベース電装基板と付加電装基板とを接続するライザーカード３２とを電装基板収納装置内に備える。【選択図】　　　　図３
2004087692.tif 000002
【特許請求の範囲】
【請求項１】
ベース電装基板に直交する向きから接続電装基板を取り付け、その接続電装基板の両面に前記ベース電装基板と平行な向きから付加電装基板を取り付け可能とするコネクタを設けることを特徴とする、電装基板収納装置。
【請求項２】
電子機器本体の側板外側に、その側板の板面と平行に、前記ベース電装基板を取り付けることを特徴とする、請求項１に記載の電装基板収納装置。
【請求項３】
前記付加電装基板に、増設部品を取り付け可能とすることを特徴とする、請求項１または２に記載の電装基板収納装置。
【請求項４】
前記付加電装基板として、電子機器のオプション機能を制御するオプション電装基板を備えることを特徴とする、請求項１または２に記載の電装基板収納装置。
【請求項５】
１つの金属製の筐体内に備えることを特徴とする、請求項１ないし４のいずれか１に記載の電装基板収納装置。
【請求項６】
前記接続電装基板に複数のコネクタをそれぞれ高さ位置をずらして設けるとともに、一番高いコネクタと一番低いコネクタとを高さ方向に少なくとも５ｍｍ重複して設けることを特徴とする、請求項１ないし５のいずれか１に記載の電装基板収納装置。
【請求項７】
請求項１ないし６のいずれか１に記載の電装基板収納装置を備えることを特徴とする、電子機器。
【発明の詳細な説明】
【０００１】
【発明の属する技術分野】
この発明は、例えば、複写機、プリンタ、ファクシミリ、もしくはそれらの複合機などの画像形成装置、またはパーソナルコンピュータ、ゲーム機などの電子機器に関する。および、そのような電子機器に備える、電装基板収納装置に関する。
【０００２】
【従来の技術】
この種の電装基板収納装置を備える、従来のプリンタ（電子機器）を図１０に示す。このプリンタ本体１の後面には、電装基板を収納する電装基板収納装置２を備えていた。その電装基板収納装置２の内部の構成を図１１に示す。
【０００３】
電装基板収納装置２内には、プリンタの本体動作に関する制御を行うベース電装基板３と、付加電装基板の一例であり、プリンタ本体の基本機能に関する制御を行うコントローラボード５と、その付加電装基板とベース電装基板３とを接続する接続電装基板４とを備える。
【０００４】
ベース電装基板３にはコネクタ３Ａを介して、ベース電装基板３に直交する向きから接続電装基板４を取り付ける。その接続電装基板４の一面には、ベース電装基板３と平行な向きから付加電装基板を取り付け可能とする例えば３つのコネクタ４Ａ・４Ｂ・４Ｃを設ける。
【０００５】
それらのうちの１つのコネクタ４Ａに、コントローラボード５のコネクタ５ａを取り付け、残りの２つのコネクタ４Ｂ、４Ｃは、プリンタに、スキャナ機能やファクシミリ機能のオプション機能を発揮できるようにする場合に用いていた。例えば、図１２に示すように、スキャナ機能を付加する第１の付加電装基板（第１のオプション電装基板）６のコネクタ６ａと、ファクシミリ機能を付加する第２の付加電装基板（第２のオプション電装基板）７のコネクタ７ａとを、接続電装基板４に設けたコネクタ４Ｂ、４Ｃにそれぞれ接続する。このようにすることにより、図１３に示すようにしていた。
【０００６】
【発明が解決しようとする課題】
しかし、そのように接続電装基板４の一面にコネクタ４Ａ、４Ｂ、４Ｃを設けると、ベース電装基板３とコントローラボード５、コントローラボード５と第１のオプション電装基板６、第１のオプション電装基板６と第２のオプション電装基板７との間をある程度あけなければならないため、コネクタ４Ａ、４Ｂ、４Ｃ位置の間にある程度の間隔が必要となり、接続電装基板４の幅Ｍが広くなるので、電装基板収納装置２が大型化し、それにより、プリンタ本体１が大型化する問題があった。
【０００７】
そこで、この発明の第１の目的は、電装基板収納装置を小型化することにより、電子機器本体を小型化することにある。
【０００８】
この発明の第２の目的は、電子機器本体からの電装基板収納装置の突出量を少なくして、電子機器本体を小型化することにある。
【０００９】
この発明の第３の目的は、増設部品の付加を簡単にすることにある。
【００１０】
この発明の第４の目的は、オプション機能の付加を簡単にすることにある。
【００１１】
この発明の第５の目的は、電装基板にノイズが発生するのを防止するとともに、電装基板を保護することにある。
【００１２】
ところで、上述したように、新たなオプション電装基板を接続電装基板に接続するとき、接続すべきコネクタを間違える問題があった。
【００１３】
例えば、図１２に示すように、接続電装基板４のコネクタ４Ａ、４Ｂ、４Ｃを高さ位置が同一となるように設けるとする。そして、第１のオプション電装基板６のみを接続する場合、本来、接続電装基板４のコネクタ４Ｂに接続すべきところをコネクタ４Ｃに接続し、誤装着してしまう場合があった。
【００１４】
また、例えば、図１４に示すように、接続電装基板４のコネクタ４Ｂ、４Ｃを高さ位置が重複しないように設けるとする。そして、第２のオプション電装基板７のみを接続する場合、接続電装基板４のコネクタ４Ｂ位置の断面を示す図１５から判るように、本来接続コネクタ４Ｃに接続すべきところを接続コネクタ４Ｂの位置においてしまい、そのまま気が付かずにカバー８を閉じ、ネジ９で止めて、誤挿入してしまう場合があった。
【００１５】
そこで、この発明の第６の目的は、付加電装基板の誤挿入、誤装着を防止することにある。
【００１６】
この発明の第７の目的は、上記した目的を達成した電装基板収納装置を備える電子機器を提供することにある。
【００１７】
【課題を解決するための手段】
そのため、請求項１に係る発明は、上述した第１の目的を達成すべく、
電装基板収納装置において、
ベース電装基板に直交する向きから接続電装基板を取り付け、その接続電装基板の両面にベース電装基板と平行な向きから付加電装基板を取り付け可能とするコネクタを設けることを特徴とする。
【００１８】
請求項２に係る発明は、上述した第２の目的を達成すべく、
請求項１に記載の電装基板収納装置において、
電子機器本体の側板外側に、その側板の板面と平行に、ベース電装基板を取り付けることを特徴とする。
【００１９】
請求項３に係る発明は、上述した第３の目的を達成すべく、
請求項１または２に記載の電装基板収納装置において、
付加電装基板に、増設部品を取り付け可能とすることを特徴とする。
【００２０】
請求項４に係る発明は、上述した第４の目的を達成すべく、
請求項１または２に記載の電装基板収納装置において、
付加電装基板として、電子機器のオプション機能を制御するオプション電装基板を備えることを特徴とする。
【００２１】
請求項５に係る発明は、上述した第５の目的を達成すべく、
請求項１ないし４のいずれか１に記載の電装基板収納装置において、
１つの金属製の筐体内に備えることを特徴とする。
【００２２】
請求項６に係る発明は、上述した第６の目的を達成すべく、
請求項１ないし５のいずれか１に記載の電装基板収納装置において、
接続電装基板に複数のコネクタをそれぞれ高さ位置をずらして設けるとともに、一番高いコネクタと一番低いコネクタとを高さ方向に少なくとも５ｍｍ重複して設けることを特徴とする。
【００２３】
請求項７に係る発明は、上述した第７の目的を達成すべく、
請求項１ないし６のいずれか１に記載の電装基板収納装置を備える電子機器である。
【００２４】
【発明の実施の形態】
以下、図面を参照しつつ、この発明の実施の形態につき説明する。
図１には、電子機器の一例であるレーザプリンタの概略構成を示す。
【００２５】
図中符号１０は、画像形成装置本体であるプリンタ本体である。プリンタ本体１０内の図中右側には、ドラム状の像担持体１２を回転自在に設ける。像担持体１２のまわりには、帯電装置１３、現像装置１４、転写装置１５、クリーニング装置１６などを配置する。また、少し離れた位置に、光書込み装置１７を設置する。
【００２６】
光書込み装置１７の下方には、用紙ｓを収納する給紙カセット１８を上下２段にそれぞれプリンタ本体１０に着脱自在に取り付ける。各給紙カセット１８の先端側（図中右側）上には、各々給紙ローラ１９を備える。各給紙ローラ１９位置からは、途中で合流して上方に向けてのび、像担持体１２と転写装置１５間の転写位置ａを過ぎてさらに上方に向けてのびる用紙搬送路Ｒを形成する。
【００２７】
用紙搬送路Ｒには、転写位置ａの上流側に搬送ローラ２１、レジストローラ２２を設け、下流に定着装置２３、排紙ローラ２４を設ける。定着装置２３には、定着ローラ２５と加圧ローラ２６を備える。また、プリンタ本体１０上には、記録済み用紙ｓのスタック部２７を設ける。
【００２８】
いま、このレーザプリンタで用紙ｓに記録を行うときは、例えばホストからの書き込み信号に基づき、像担持体１２を反時計まわりに回転するとともに、給紙ローラ１９の１つを選択的に反時計まわりに回転する。
【００２９】
そして、給紙カセット１８から繰り出した用紙ｓを用紙搬送路Ｒに入れ、下方の給紙カセット１８からの場合は搬送ローラ２１で搬送し、上方の給紙カセット１８からの場合は直接先端をレジストローラ２２に突き当て、ループの形成により該用紙ｓの斜行を矯正して止める。
【００３０】
他方、像担持体１２の回転とともに、まず帯電装置１３でその表面を所定の極性に一様に帯電し、次いで光書込み装置１７から出射する光変調したレーザ光Ｌを照射して書き込みを行い、静電潜像を形成する。それから、現像装置１４でトナーを付着してその静電潜像を現像し、可視像化して像担持体１２上にトナー画像を形成する。
【００３１】
そして、その像担持体１２上のトナー画像に位置合わせするタイミングで、レジストローラ２２を回転して用紙ｓを送り出し、その用紙ｓに、転写位置ａで転写装置１５により像担持体１２上のトナー画像を順次転写する。
【００３２】
画像転写後の用紙ｓは、定着装置２３の定着ローラ２５と加圧ローラ２６のニップ間に入れ、熱と圧力とを加えて用紙ｓ上の転写画像を定着して後、排紙ローラ２４で排出してスタック部２７上にスタックする。
【００３３】
一方、画像転写後の像担持体１２は、その回転とともに、クリーニング装置１６で、画像転写後になお表面上に残留する残留トナーを除去し、帯電からはじまる再度の画像形成に備える。
【００３４】
ところで、図示レーザプリンタには、不図示の操作表示部がある面を前面とすると、図２に示すように、例えばプリンタ本体１０の後面に電装基板収納装置３０を備えてなる。この電装基板収納装置３０は、プリンタの各種制御を行う電装基板を、装置内にまとめて収納するものである。
【００３５】
プリンタ本体１０内には、上述で説明した帯電装置１３、現像装置１４等の各種装置を、プリンタ本体１０に支持する複数の側板を備える。そして、図５に示すように、それら側板のうち、例えば後側板３５に、電子基板収納装置３０の筐体３４をネジ止めで取り付け、図２に示す外装板３６と後側板３５との間に、筐体３４を備える。
【００３６】
その筐体３４は、例えば板金を溶接して、または板金に曲げ加工を施してコ字部材３４ｂにしてから、板金の側面３４ａを取り付けて、１つの金属製の筐体３４を設ける。したがって、筐体３４の左右の側面は開放しており、形状は箱形状をしている。
【００３７】
その筐体３４内には、プリンタ本体動作に関する制御、例えば用紙搬送等の動作に関する制御を行うベース電装基板３１と、付加電装基板の一例であり、プリンタ本体の基本機能に関する制御、例えば用紙に記録を行う印刷機能等に関する制御を行うコントローラボード３３と、前述したベース電装基板３１と付加電装基板とを接続するライザーカード（接続電装基板）３２とを備える。
【００３８】
そして、それらの電装基板は、先ず、図５に示すように、上述した筐体３４の後側板３５外側に、その後側板３５の板面と平行に、ベース電装基板３１を例えばネジ止めで取り付ける。次に、図３に示すように、そのベース電装基板３１のコネクタ３１Ａに、ベース電装基板３１と直交する向きからライザーカード３２を取り付ける。また、そのライザーカード３２には、コントローラボード３３を取り付ける。
【００３９】
ライザーカード３２には、ベース電装基板３１と平行な向きから後述する付加電装基板を取り付け可能とするコネクタを、例えば図４に示すように、裏面に２つのコネクタ３２Ａ・３２Ｃを設け、表面に１つのコネクタ３２Ｂを設ける。したがって、ライザーカード３２の両面に付加電装基板を接続するコネクタ３２Ａ・３２Ｂ・３２Ｃを設けてなる。
【００４０】
それらコネクタ３２Ａ・３２Ｂ・３２Ｃは、高さ位置をずらして設けるとともに、一番高いコネクタ３２Ｂと、一番低いコネクタ３２Ａとを高さ方向に少なくとも５ｍｍ重複して設ける。
【００４１】
また、ライザーカード３２は、図４中右側に、ベース電装基板３１のコネクタ３１Ａに接続するコネクタ３２ｄを設けてなる。
【００４２】
そのライザーカード３２の一面には、図５に示すように、ブラケット３７を取り付ける。そのブラケット３７には、例えば付加電装基板のコネクタ位置、および四隅に穴を設け、四隅の穴を用いてライザーカード３２とブラケット３７とをネジ止めしてなる。ブラケット３７には、図５中左側の端の上下二箇所に取付部３８を備えてなる。
【００４３】
そのようなライザーカード３２を電装基板収納装置３０に取り付けるには、ライザーカード３２の一面にブラケット３７を取り付けてから、ブラケット３７の取付部３８を用いて、それらを側面３４ａにネジ止めにより取り付けて一体としてから、側面３４ａをコ字部材３４ｂに取り付けるとともに、ライザーカード３２のコネクタ３２ｄをベース電装基板３１のコネクタ３１Ａに挿入する。
【００４４】
ところで、図３、および図４に示すライザーカード３２のコネクタ３２Ａ・３２Ｂ・３２Ｃには付加電装基板を取り付ける。例えば、付加電装基板の一例であるコントローラボード３３のコネクタ３３ａを、ライザーカード３２の１つのコネクタ３２Ａに取り付ける。
【００４５】
そのコントローラボード３３には、図６に示すように、例えば略Ｌ字状をした樹脂製のブラケット４１を取り付け、コントローラユニット３９としている。
【００４６】
そのコントローラユニット３９のブラケット４１には、カバー部４１ａを設けてなる。そして、そのカバー部４１ａを兼ねるブラケット４１には、保持部材Ｙ、および保持窓Ｚを、コントローラボード３３には、保持部材Ｘをそれぞれ設け、後述するように、コントローラボード３３に増設部品を取り付け可能としている。
【００４７】
このコントローラユニット３９のカバー部４１ａを、電装基板収納装置３０の図７中左側面（プリンタ本体１０前側から見て右側）に、ネジ止めにて取り付けることにより、電装基板収納装置３０の側面をカバーしている。なお、図示省略するが、もう一方の側面のカバーも、同様にネジ止めすることにより取り付け、電装基板収納装置３０のカバーをして、プリンタ本体１０を組み立てる。
【００４８】
ところで、上述したプリンタに、増設部品を付加する場合には、プリンタ本体１０を組み立てる途中に増設部品を取り付ける。なお、増設部品には、例えば、両面印刷・ソート等の印刷時の生産性向上のために用いる増幅メモリ、ＨＤＤユニット、またはパーソナルコンピュータと接続するために用いるＩＥＥＥ１３９４ユニットなどがある。
【００４９】
それらの増設部品を、図６および図７に示すように、コントローラボード３３の保持部材Ｘに増設メモリ４３を、ブラケット４１の保持部材ＹにＨＤＤユニット４４を、保持窓ＺにＩＥＥＥ１３９４ユニット４５をそれぞれ取り付けるとともに、それらの増設部品４３・４４・４５の不図示の配線を、コントローラボード３３に取り付ける。
【００５０】
また、上述したプリンタに、例えば、スキャナ機能とファクシミリ機能のオプション機能を発揮できるようにする場合には、プリンタ本体１０を組み立てる途中に、付加電装基板であるオプション電装基板を取り付ける。
【００５１】
先ず、オプション電装基板として、プリンタのオプション機能であるスキャナ機能を制御する第１のオプション電装基板と、ファクシミリ機能を制御する第２のオプション電装基板とをそれぞれ用意する。
【００５２】
次に、スキャナ機能を付加する第１のオプション電装基板（第１のオプションボード）４７をプリンタ本体１０前側から見て右側からプリンタ本体１０に挿入し、図８中左側からで、且つベース電装基板３１と平行な向きから、第１のオプションボード４７のコネクタ４７ａを、ライザーカード３２のコネクタ３２Ｃに取り付ける。
【００５３】
また、ファクシミリ機能を付加する第２のオプション電装基板（第２のオプションボード）４８をプリンタ本体１０前側から見て左側からプリンタ本体１０に挿入し、図８中右側からで、且つベース電装基板３１と平行な向きから、第２のオプションボード４８のコネクタ４８ａを、ライザーカード３２のコネクタ３２Ｂに取り付ける。
【００５４】
次いで，上述したのと同様に、プリンタ本体１０の両側面のカバーを本体にネジ止めしてから、不図示のスキャナとプリンタ本体１０とを、不図示のコードを介して接続するとともに、図６に示す、モジュラコネクタ５０に電話回線、および公衆回線などの回線５１を取り付ける。
【００５５】
ところで、プリンタ本体１０の前側より見て右側から挿入すべき第１のオプションボード４７を間違えて、左側より挿入した場合を説明する。
【００５６】
本来であれば、第１のオプションボード４７は、上述したように、図８中左側から挿入してライザーカード３２のコネクタ３２Ｃに接続すべきところである。しかし、第１のオプションボード４７を図８中右側より挿入し、本来であれば第２のオプションボード４８を挿入する位置に誤挿入してしまった。
【００５７】
図９は、この場合のライザーカード３２のコネクタ３２Ｂでの断面図である。図９から明らかなように、第１のオプションボード４７のコネクタ４７ａが、ライザーカード３２のコネクタ３２Ｂに当たるため、カバー５２が第１のオプションボード４７に当たり、ネジ５３によりカバー５２を閉じることができない。
【００５８】
これは、上述したように、図４に示すライザーカード３２に複数のコネクタ３２Ａ、３２Ｂ、３２Ｃをそれぞれ高さ位置をずらして設けるとともに、一番高いコネクタ３２Ｂと一番低いコネクタ３２Ｃとを高さ方向に少なくとも５ｍｍ重複して設けたためである。
【００５９】
このようにすれば、前述したように、万一、オプションボードを誤挿入、または誤装着した場合でも、カバー５２を閉じることができないので、一目でオプションボードの誤挿入、および誤装着を発見できることにより、これらを防止することができる。
【００６０】
なお、上述には、プリンタ本体１０を組み立てる際に、第１のオプション電装基板４７、および第２のオプション電装基板４８を取り付ける例を示したが、プリンタを据え付けた後、ユーザー等の要望に基づいて、第１のオプション電装基板４７、または第２のオプション電装基板４８を、電装基板収納装置３０のライザーカード３２に取り付けてもよい。
【００６１】
また、上述には、プリンタ本体１０を組み立てる際に、増設部品４３、４４、および４５を取り付ける例を示したが、プリンタを据え付けた後、ユーザー等の要望に基づいて、増設部品４３、４４、または４５を、電装基板収納装置３０のコントローラボード３３に取り付けてもよい。
【００６２】
【発明の効果】
以上説明したとおり、請求項１に係る発明によれば、接続電装基板の両面に付加電装基板を取り付け可能とするコネクタを設け、接続電装基板の一面に設けるコネクタの数を少なくできるので、接続電装基板の幅を狭くすることにより、電装基板収納装置を小型化することを可能にし、それにより、電子機器本体を小型化することができる。
【００６３】
請求項２に係る発明によれば、電子機器本体の側板外側に、その側板の板面と平行に、ベース電装基板を取り付け、電装基板収納装置が必要とするスペースを少なくするので、電子機器本体を小型化することができる。
【００６４】
請求項３に係る発明によれば、付加電装基板に、増設部品を取り付け可能とするので、増設部品の付加を簡単にすることができる。
【００６５】
請求項４に係る発明によれば、付加電装基板として、電子機器のオプション機能を制御するオプション電装基板を備え、オプション機能を付加する場合には、接続電装基板にオプション電装基板を取り付ければ良いので、オプション機能の付加を簡単にすることができる。
【００６６】
請求項５に係る発明によれば、１つの金属製の筐体内に電装基板収納装置を備え、電装基板収納装置内の電装基板を金属製の筐体で囲むため、電装基板にノイズが発生するのを防止するとともに、電装基板を保護することができる。
【００６７】
請求項６に係る発明によれば、接続電装基板に複数のコネクタをそれぞれ高さ位置をずらして設けるとともに、一番高いコネクタと一番低いコネクタとを高さ方向に少なくとも５ｍｍ重複して設け、万一、付加電装基板を誤挿入、または誤装着した場合にはカバーが閉じられないので、付加電装基板の誤挿入、または誤装着を防止することができる。
【００６８】
請求項７に係る発明によれば、上述した効果を達成した電装基板収納装置を備える電子機器を提供することができる。
【図面の簡単な説明】
【図１】この発明に係る電子機器の一例である、レーザプリンタの全体概略構成図である。
【図２】そのレーザプリンタの斜視図である。
【図３】そのレーザプリンタに備える電装基板収納装置内の説明図である。
【図４】その電装基板収納装置内に備える接続電装基板の正面図である。
【図５】その電装基板収納装置の斜視図である。
【図６】その電装基板収納装置に備える付加電装基板に増設部品を取り付ける場合の説明図である。
【図７】そのレーザプリンタから付加電装基板を取り出した場合の斜視図である。
【図８】その電装基板収納装置にオプション電装基板を備える場合の説明図である。
【図９】その電装基板収納装置に、オプション電装基板を誤挿入した場合の説明図である。
【図１０】従来のレーザプリンタの斜視図である。
【図１１】そのレーザプリンタに備える電装基板収納装置内の説明図である。
【図１２】その電装基板収納装置にオプション電装基板を備える場合の説明図である。
【図１３】その電装基板収納装置に、オプション電装基板を取り付けた場合の説明図である。
【図１４】そのレーザプリンタに備える接続電装基板の斜視図である。
【図１５】その電装基板収納装置に、オプション電装基板を誤挿入した場合の説明図である。
【符号の説明】
３０　　電装基板収納装置
３１　　ベース電装基板
３２　　ライザーカード（接続電装基板）
３２Ａ、３２Ｂ、３２Ｃ　　コネクタ
３３　　コントローラボード（付加電装基板）
３４　　筐体
４３　　増設メモリ（増設部品）
４４　　ＨＤＤユニット（増設部品）
４５　　ＩＥＥＥ１３９４ユニット（増設部品）
４７　　第１のオプションボード（第１のオプション電装基板）
４８　　第２のオプションボード（第２のオプション電装基板）
【図１】
2004087692.tif 000003
【図２】
2004087692.tif 000004
【図３】
2004087692.tif 000005
【図４】
2004087692.tif 000006
【図５】
2004087692.tif 000007
【図６】
2004087692.tif 000008
【図７】
2004087692.tif 000009
【図８】
2004087692.tif 000010
【図９】
2004087692.tif 000011
【図１０】
2004087692.tif 000012
【図１１】
2004087692.tif 000013
【図１２】
2004087692.tif 000014
【図１３】
2004087692.tif 000015
【図１４】
2004087692.tif 000016
【図１５】
2004087692.tif 000017